(57)【要約】      （修正有）【課題】シンプルな構成でありながら高粘度の液体も塗布することができ、取り扱いが簡単なハンドスプレーガンの提供。【解決手段】ガン本体部１０は、液体の供給を受ける液体供給口１１と、液体を霧化する気体の供給を受ける気体供給口１２と、液体を噴霧する操作を行う引金１３と、を備え、液体供給部２０は、液体の供給元となるシリンジ３０と、シリンジから液体を押し出す駆動力を発生する押出動力部４０と、を備え、シリンジは、液体が流出する筒先部３１ａ及びフランジ部３１ｂを有し、液体を貯める外筒３１と、外筒内の液体を筒先部から流出させるように液体を押圧する押子３２と、を備え、押出動力部は、押子の後端に取り付けられるキャップ部４１と、外筒のフランジ部に係合できる係合部４２と、キャップ部と係合部との間に架橋され、液体を筒先部から流出させるときに、キャップ部を係合部に近づける様に収縮するゴム４３と、を備えるハンドスプレー。【選択図】図１
2017189759.tif 000002
【特許請求の範囲】
【請求項１】
液体供給部とガン本体部を備え、
前記ガン本体部は、
液体の供給を受ける液体供給口と、
前記液体を霧化する気体の供給を受ける気体供給口と、
前記気体及び前記液体を吐出させ、前記液体を噴霧する操作を行う引金と、を備え、
前記液体供給部は、
前記液体供給口に前記液体を供給する供給元となるシリンジと、
前記液体供給口に前記液体を供給するために、前記シリンジから前記液体を押し出す駆動力を発生する押出動力部と、を備え、
前記シリンジは、
前記液体供給口に供給される前記液体が流出する筒先部及び後端側に設けられたフランジ部を有し、前記液体を貯める外筒と、
前記外筒内の前記液体を前記筒先部から流出させるように前記液体を押圧する押子と、を備え、
前記押出動力部は、
前記押子の後端に取り付けられるキャップ部と、
前記外筒の前記フランジ部に係合できる係合部と、
前記キャップ部と前記係合部との間に架橋され、前記液体を前記筒先部から流出させるときに、前記キャップ部を前記係合部に近づけるように収縮するゴムと、を備えることを特徴とするハンドスプレーガン。
【請求項２】
前記ガン本体部の前記液体供給口に着脱可能に設けられ、前記シリンジの前記外筒の前記筒先部が着脱可能に嵌入される接続アダプタを備えることを特徴とする請求項１に記載のハンドスプレーガン。
【請求項３】
前記シリンジと前記押出動力部を、それぞれ２個備え、
前記接続アダプタは、各シリンジから供給される前記液体を混合して、前記ガン本体部の前記液体供給口に供給することを特徴とする請求項２に記載のハンドスプレーガン。
【請求項４】
前記接続アダプタは、前記係合部が前記フランジ部に係合されている状態よりも前記ゴムを伸ばすことができる位置に設けられ、前記係合部が係合される被係合部を有することを特徴とする請求項２又は請求項３に記載のハンドスプレーガン。
【請求項５】
前記接続アダプタは、前記シリンジの前記外筒を保持する円筒状の保持部を有し、
前記被係合部が、前記保持部に設けられていることを特徴とする請求項４に記載のハンドスプレーガン。
【請求項６】
前記ゴムは、前記キャップ部の対向する２箇所と、その２箇所に対応する前記係合部の対向する２箇所の間に架橋されていることを特徴とする請求項１から請求項５のいずれか１項に記載のハンドスプレーガン。
【請求項７】
前記ゴムが輪ゴムであることを特徴とする請求項１から請求項６のいずれか１項に記載のハンドスプレーガン。
【発明の詳細な説明】
【技術分野】
【０００１】
本発明はハンドスプレーガンに関する。
【背景技術】
【０００２】
例えば、髪を染めるときには、美容師等が処理液を刷毛等を用いて髪に塗っていく作業が行われている（特許文献１参照）。
【先行技術文献】
【特許文献】
【０００３】
【特許文献１】特開２００６−１３１５２３号公報
【発明の概要】
【発明が解決しようとする課題】
【０００４】
ところで、髪を染めたり、髪にパーマをかけたりするときに使用される処理液は、粘性が高いものが多く、のびがよくないため、髪に塗るときに必要以上に処理液を使用することになる。
【０００５】
一方、スプレーガン等を用いれば、必要な量を隙間なく、薄く塗布することが可能であるため、処理液の使用量を節約することができると考えられる。
しかしながら、噴霧する液体が高粘度である場合には、液体の供給系等が大掛かりなものとなるとともに、そのようなスプレーガンを使用していない者にとっては、取り扱いが不便であるという問題がある。
【０００６】
本発明は、このような事情に鑑みてなされたものであり、シンプルな構成でありながら高粘度の液体も塗布することができ、取り扱いが簡単なハンドスプレーガンを提供することを目的とする。
【課題を解決するための手段】
【０００７】
本発明は、上記目的を達成するために、以下の構成によって把握される。
（１）本発明のハンドスプレーガンは、液体供給部とガン本体部を備え、前記ガン本体部は、液体の供給を受ける液体供給口と、前記液体を霧化する気体の供給を受ける気体供給口と、前記気体及び前記液体を吐出させ、前記液体を噴霧する操作を行う引金と、を備え、前記液体供給部は、前記液体供給口に前記液体を供給する供給元となるシリンジと、前記液体供給口に前記液体を供給するために、前記シリンジから前記液体を押し出す駆動力を発生する押出動力部と、を備え、前記シリンジは、前記液体供給口に供給される前記液体が流出する筒先部及び後端側に設けられたフランジ部を有し、前記液体を貯める外筒と、前記外筒内の前記液体を前記筒先部から流出させるように前記液体を押圧する押子と、を備え、前記押出動力部は、前記押子の後端に取り付けられるキャップ部と、前記外筒の前記フランジ部に係合できる係合部と、前記キャップ部と前記係合部との間に架橋され、前記液体を前記筒先部から流出させるときに、前記キャップ部を前記係合部に近づけるように収縮するゴムと、を備える。
【０００８】
（２）上記（１）の構成において、前記ガン本体部の前記液体供給口に着脱可能に設けられ、前記シリンジの前記外筒の前記筒先部が着脱可能に嵌入される接続アダプタを備える。
【０００９】
（３）上記（２）の構成において、前記シリンジと前記押出動力部を、それぞれ２個備え、前記接続アダプタは、各シリンジから供給される前記液体を混合して、前記ガン本体部の前記液体供給口に供給する。
【００１０】
（４）上記（２）又は（３）の構成において、前記接続アダプタは、前記係合部が前記フランジ部に係合されている状態よりも前記ゴムを伸ばすことができる位置に設けられ、前記係合部が係合される被係合部を有する。
【００１１】
（５）上記（４）の構成において、前記接続アダプタは、前記シリンジの前記外筒を保持する円筒状の保持部を有し、前記被係合部が、前記保持部に設けられている。
【００１２】
（６）上記（１）から（５）のいずれか１つの構成において、前記ゴムは、前記キャップ部の対向する２箇所と、その２箇所に対応する前記係合部の対向する２箇所の間に架橋されている。
【００１３】
（７）上記（１）から（６）のいずれか１つの構成において、前記ゴムが輪ゴムである。
【発明の効果】
【００１４】
本発明によれば、シンプルな構成でありながら高粘度の液体も塗布することができ、取り扱いが簡単なハンドスプレーガンを提供することができる。
【図面の簡単な説明】
【００１５】
【図１】本発明に係る実施形態のハンドスプレーガンの断面図である。
【図２】本発明に係る実施形態のハンドスプレーガンの一部拡大断面図である。
【図３】本発明に係る実施形態の液体供給部の分解平面図である。
【図４】本発明に係る実施形態のキャップ部だけを図１の上側から見た場合の平面図である。
【図５】本発明に係る実施形態の係合部だけを図１の上側から見た場合の平面図である。
【図６】本発明に係る実施形態の２液混合させる接続アダプタを説明するための側面図である。
【発明を実施するための形態】
【００１６】
以下、添付図面を参照して、本発明を実施するための形態（以下、実施形態）について詳細に説明する。なお、実施形態の説明の全体を通して同じ要素には同じ番号を付しており、また、特に断りがない場合、各部材において、液体や気体の流れで見たときに、供給側を後端（後端側）とし、その後端と反対側となる供給される側を先端（先端側）とする。
【００１７】
図１は本発明に係る実施形態のハンドスプレーガン１の断面図であり、図２はハンドスプレーガン１の一部拡大断面図である。
図１に示すように、ハンドスプレーガン１は、ガン本体部１０と、液体供給部２０と、を備えている。
【００１８】
（ガン本体部）
図２に示すように、ガン本体部１０は、液体供給部２０から液体の供給を受ける液体供給口１１と、液体を霧化する気体の供給を受ける気体供給口１２と、気体及び液体を吐出させ、液体を噴霧する操作を行う引金１３と、を備えている。
【００１９】
より具体的には、引金１３を操作することでニードル１４を動作させることができるようになっている。引金１３を引かない状態では、ニードル１４の先端は、ノズル１５の液体吐出口を閉じており、引金１５を操作する事で、ノズル１５を開閉する役割を果たすようになっている。また、ニードル１４は、矢印Ａで示す気体流路の途中の箇所を開閉するための開閉弁１４ａと連動している。
【００２０】
このため、引金１３を引くと、ニードル１４が後端側に移動し、開閉弁１４ａで閉じられていた気体流路が開放されて、気体供給口１２に供給された気体が、ガン本体部１０の先端側に供給されるようになる（矢印Ａ参照）。
【００２１】
そして、ガン本体部１０の先端側に供給された気体は、気体キャップ１６とノズル１５との間のスリット開口１７から吐出する。
【００２２】
また、ニードル１４が後端側に移動し、ノズル１５が開放されると、矢印Ｂで示すように、液体供給部２０から液体供給口１１に供給された液体がノズル１５の先端開口部から吐出し、スリット開口１７から吐出している気体と気液混合されることで液体が霧化される。
このように、引金１３を操作することで液体を噴霧することができる。
【００２３】
なお、図示を省略しているが、気体供給口１２には、簡易的なコンプレッサからの気体供給ラインが接続される。
【００２４】
（液体供給部）
図３は、液体供給部２０の分解平面図である。
図１及び図３に示すように、液体供給部２０は、ガン本体部１０の液体供給口１１に液体を供給する供給元となるシリンジ３０と、液体供給口１１に液体を供給するために、シリンジ３０から液体を押し出す駆動力を発生する押出動力部４０と、を備えている。
【００２５】
シリンジ３０は、ガン本体部１０の液体供給口１１に供給される液体が流出する筒先部３１ａ及び後端側に設けられたフランジ部３１ｂを有し、液体を貯める外筒３１と、外筒３１内の液体を筒先部３１ａから流出させるように液体を押圧する押子３２と、を備えている。
【００２６】
押出動力部４０は、押子３２の後端に取り付けられるキャップ部４１と、外筒３１のフランジ部３１ｂに係合できる係合部４２と、キャップ部４１と係合部４２との間に架橋されたゴム４３と、を備えている。
【００２７】
図４はキャップ部４１だけを図１の上側から見た場合の平面図であり、図５は係合部４２だけを図１の上側から見た場合の平面図である。
キャップ部４１は、図１及び図４に示すように、押子３２の後端に被さる有底カップ状のキャップ本体部４１ａと、キャップ本体部４１ａの開放端側に設けられ、外側に延在するキャップフランジ４１ｂと、を備えており、そのキャップフランジ４１ｂには、一対のスリットからなるキャップ側ゴム固定部４１ｃが、対向する２箇所に設けられている。
【００２８】
一方、係合部４２は、リング状の係合部本体４２ａと、リング状の係合部本体４２ａの対向する位置に設けられた一対の係合ピン４２ｂと、対向する２箇所に設けられた一対のスリットからなる係合部側ゴム固定部４２ｃと、を備えており、係合部側ゴム固定部４２ｃは、リング状の係合部本体４２ａの周方向の位置で、係合ピン４２ｂから約９０度回転した位置に設けられている。
【００２９】
したがって、ゴム４３は、キャップ部４１の対向する２箇所と、その２箇所に対応する係合部４２の対向する２箇所の間に架橋されるようになっており、ゴム４３の収縮力がキャップ部４１及び係合部４２に左右バランスよくかかるようになっている。
【００３０】
なお、本実施形態のように、キャップ側ゴム固定部４１ｃ及び係合部側ゴム固定部４２ｃを一対のスリットで形成するようにすると、輪ゴムのようなものを簡単に固定することができるので、ゴム４３に簡単に入手できる輪ゴムを用いることができる。
【００３１】
また、液体供給部２０は、図１に示すように、ガン本体部１０の液体供給口１１に着脱可能に設けられ、シリンジ３０の外筒３１の筒先部３１ａが着脱可能に嵌入される接続アダプタ５０を備えている。
【００３２】
図３に示すように、接続アダプタ５０は、ガン本体部１０（図１参照）の液体供給口１１（図１参照）に着脱可能に設けられる取付部５１と、取付部５１に着脱可能に設けられ、シリンジ３０の外筒３１を保持する円筒状の保持部５２と、を有している。
【００３３】
取付部５１は、取付本体部５１ａと、シリンジ３０の外筒３１の筒先部３１ａが嵌入される筒部材５１ｂと、を備えている。
取付本体部５１ａは、先端にガン本体部１０の液体供給口１１に螺合挿入される螺合接続部５１ａａが設けられるとともに、後端にシリンジ３０の外筒３１の筒先部３１ａが嵌入される筒部材５１ｂを装着する装着部５１ａｂが設けられている。
【００３４】
そして、取付本体部５１ａには、螺合接続部５１ａａと装着部５１ａｂを貫通する液体供給路５１ａｃが形成されており、筒部材５１ｂにシリンジ３０の外筒３１の筒先部３１ａが嵌入された状態で外筒３１内の液体を筒先部３１ａから流出させると、液体供給路５１ａｃを通じてガン本体部１０の液体供給口１１に液体が供給される。
【００３５】
保持部５２は、先端側に取付部５１の取付本体部５１ａの後端側が挿入固定される取付部固定部５２ａを有する筒状の部材で構成されている。
そして、この保持部５２の筒状の部分には、後端側に開口し、先端側に向かって保持部５２に沿って形成されたガイド溝５２ｂが形成されている。
【００３６】
また、本実施形態では、そのガイド溝５２ｂの２箇所に、ガイド溝５２ｂに交差（ほぼ直交）する方向に切り欠かれるように形成され、押出動力部４０の係合部本体４２ａに取り付けられた係合ピン４２ｂが係合される被係合部５２ｃが設けられている。
【００３７】
なお、図３では、見えていないが、このガイド溝５２ｂ及び被係合部５２ｃは紙面の奥方向となる筒状の保持部５２の中心軸に対称な位置にも形成されており、保持部５２は、対称な位置に設けられた一対のガイド溝５２ｂ及び被係合部５２ｃを有するものになっている。
【００３８】
そして、リング状の係合部本体４２ａは、内径が保持部５２の筒状の部分の外径よりも若干大きく、シリンジ３０の外筒３１のフランジ部３１ｂの外径よりも小さくなっており、係合部本体４２ａに取り付けられた一対の係合ピン４２ｂは、ガイド溝５２ｂをガイドにしてスライド移動し被係合部５２ｃに掛る程度に内側に突出するように設けられている。
【００３９】
したがって、係合部４２は、リング状の係合部本体４２ａがシリンジ３０の外筒３１のフランジ部３１ｂに係合できるようになっているだけでなく、一対の係合ピン４２ｂをガイド溝５２ｂに入れるようにして、係合部４２を先端側にスライドさせて、そのガイド溝５２ｂに設けられた被係合部５２ｃに係合ピン４２ｂを係合させることで、係合部４２が接続アダプタ５０の保持部５２に係合できるようにもなっている。
【００４０】
以上のような構成からなるハンドスプレーガン１の使用方法の一例について以下で説明する。
まず、図１に示す押出動力部４０の係合ピン４２ｂが被係合部５２ｃに係合している状態からは、係合ピン４２ｂの被係合部５２ｃに対する係合を解除し、係合部４２をシリンジ３０の外筒３１のフランジ部３１ｂに係合させた後、押出動力部４０のキャップ部４１をシリンジ３０の押子３２から図３に示すように取り外す。
【００４１】
このように、シリンジ３０の中の液体が吐出せず、押子３２が簡単に後端側に引くことができる状態にして、シリンジ３０を押出動力部４０とともに接続アダプタ５０から引き抜く。
【００４２】
続いて、シリンジ３０の筒先部３１ａを充填する液体に浸した状態として押子３２を後端側に引っ張ることでシリンジ３０の外筒３１内に液体を吸い上げ、シリンジ３０に液体を充填する。
【００４３】
シリンジ３０への液体の充填が終わると、再び、シリンジ３０を接続アダプタ５０に接続し、先ほど取り外したキャップ部４１を押子３２の後端に被せるように取り付ける。
そうすると、キャップ部４１が、ゴム４３の収縮力によって、シリンジ３０の外筒３１のフランジ部３１ｂに係合している係合部４２側に引っ張られ、押子３２を押圧し、外筒３１内の液体を筒先部３１ａから流出できるようにする。
【００４４】
そして、ガン本体部１０を液体を塗布する対象に向けてガン本体部１０の引金１３を引くと、ニードル１４（図２参照）によって閉鎖されていたノズル１５（図２参照）が開放され、液体が吐出できる状態となり、それに伴って、シリンジ３０から液体が流出できる状態となる。
【００４５】
このため、ゴム４３が収縮してキャップ部４１が、押子３２を押圧するように係合部４２側に移動し、液体が押子３２に押圧されることでシリンジ３０の外筒３１の筒先部３１ａから流出して、液体がガン本体部１０の液体供給口１１に供給され、ノズル１５から液体が吐出する。
【００４６】
このノズル１５から吐出した液体は、スリット開口１７から吐出する気体によって霧化されて、液体が塗布する対象に噴霧される。
【００４７】
一方、液体の噴霧に伴って、キャップ部４１が押子３２を押圧して移動し、外筒３１内の液体を筒先部３１ａから流出させて、係合部４２に近づくにつれて、ゴム４３が縮んでいくため、ゴム４３の収縮力が弱くなり、液体の流出量が減少する。
そのようなときには、上述したように、係合部４２がシリンジ３０の外筒３１のフランジ部３１ｂに係合されている状態よりもゴム４３を伸ばすことができる位置に設けられている接続アダプタ５０の保持部５２の被係合部５２ｃに係合させるようにして、ゴム４３の収縮力を高くすればよい。
【００４８】
そして、種類の異なる液体を噴霧したいときには、洗浄を行うことになるが、その洗浄作業も、シリンジ３０に洗浄液等を充填して、流し台等にガン本体部１０を向けて、その洗浄液を噴霧するようにするだけでよく、極めて簡単に行うことができる。必要であれば、接続アダプタ５０をガン本体１０から取り外しての洗浄も簡単に行うことができる。
【００４９】
ところで、髪を染めるときの処理液や髪にパーマをかけるときの処理液では、２液混合型のものがある。
そして、２つの液体を混合した後は、ある一定時間しか使用できないため、２つの液体を混合する量は、使用する分量だけとすることが好適である。
【００５０】
そこで、上述した接続アダプタ５０を以下のような構成にしてもよい。
図６は２液混合させる接続アダプタ５０を説明するための側面図である。
図６に示すように、２つのシリンジ３０（図示せず）が取り付けられるように、接続アダプタ５０の取付部５１の部分（より具体的には、取付本体部５１ａ）を変更し、その取付本体部５１ａの液体供給路５１ａｃを、ガン本体部１０（図１参照）の液体供給口１１（図１参照）に螺合挿入される螺合接続部５１ａａに至るまでに、２つの液体を混合するような液体供給路５１ａｃとすればよい。
【００５１】
図６に示すような取付本体部５１ａを用いるときには、シリンジ３０と押出動力部４０を、それぞれ２個備えるようにする。
なお、図６では２つの液体が単に合流して混合される場合を示しているが、液体の粘度が高い場合には十分に混ざり合わないで噴霧される可能性がある。
このため、２つの液体が合流した後の箇所に液体をミキシングする構造を加えるようにしてもよい。
【００５２】
以上のような構成のハンドスプレーガン１は、液体の供給系が極めて簡単な構成でありながら、高粘度の液体を供給することができ、また、気体の供給系もスイッチを入れれば動くような簡易的な小型のコンプレッサでよいため安価に構成することができる。
そして、液体の供給元がシリンジ３０であるため、普段、スプレーガン等を使わない者にとっても直感的に液体の充填の仕方がわかり、取り扱いも極めて簡単に行うことができる。
【００５３】
また、押出動力部４０の駆動力がゴム４３であることから、駆動力を高めたければ、使用するゴム４３の数を増やせばよく、限定されるものではないが、ゴム４３には輪ゴムを好適に用いることができ、輪ゴム等は安価に簡単に入手できるため、ゴム４３が切れた場合でも費用が掛からず、簡単に交換することができる。
【００５４】
なお、ゴム４３は、キャップ部４１の１つのキャップ側ゴム固定部４１ｃと係合部４２の１つの係合部側ゴム固定部４２ｃとの間を架橋するように１つの輪ゴムを用いて、キャップ部４１のもう１つのキャップ側ゴム固定部４１ｃと係合部４２のもう１つの係合部側ゴム固定部４２ｃとの間を架橋するようにもう１つの輪ゴムを用いるようにしてもよい。
【００５５】
また、輪ゴムの一端を係合部４２の１つの係合部側ゴム固定部４２ｃに固定して、キャップ部４１の２つのキャップ側ゴム固定部４１ｃを経由させた後、その輪ゴムの他端をもう１つの係合部側ゴム固定部４２ｃに固定するようにしてもよい。
【００５６】
このように１つの輪ゴムを用いる場合には、１つの係合部側ゴム固定部４２ｃと１つのキャップ側ゴム固定部４１ｃの間の輪ゴムの長さと、もう１つの係合部側ゴム固定部４２ｃと、もう１つのキャップ側ゴム固定部４１ｃの間の輪ゴムの長さが等しい方が収縮力の左右バランスを良くすることができる。
【００５７】
そこで、図４に示すように、キャップ部４１の中央に目印４１ｄを設けておき、ここに輪ゴムの中央が位置するようにすればよい。
例えば、２つの輪ゴムを繋げて１つのゴム４３のような状態とする場合には、その輪ゴムの繋がり部が目印４１ｄのところに位置するようにすれば、左右のゴム４３の長さを等しくするように簡単にゴム４３を設置することができる。
【００５８】
以上、具体的な実施形態に基づいて本発明のハンドスプレーガン１について説明してきたが、本発明は、上記の具体的な実施形態に限定されるものではない。
本発明のハンドスプレーガン１の使用方法は、髪を処理する処理液を噴霧することに限定されるものではなく、例えば、チョコレート、マヨネーズ、ソース等々の食液を噴霧するのに用いてもよく、噴霧する液体は特に限定されるものではない。
本実施形態は、液体供給口１１がガン本体部１０の上部にある重力式センターカップガンを使用した場合であるが、使用目的により、液体供給口１１がガン本体部１０の側面にある重力式サイドカップガン、液体供給口１１がガン本体部１０の下面にある吸上・圧送式ガンを使用しても良い。
【００５９】
また、上記実施形態では、接続アダプタ５０が、シリンジ３０の外筒３１を保持する円筒状の保持部５２を有する場合について示したが、シリンジ３０の大きさが大きくない場合には、この保持部５２を省略してもよい。
加えて、接続アダプタ５０の取付部５１を、ユニバーサルなＬ字形状にするなどして、シリンジ３０のガン本体部１０に対して取付ける向き、位置を、使い勝手の良いように設定する事ができる。
【００６０】
さらに、シリンジ３０の大きさや形状は、特に限定されるものではなく、使用する液体の分量や取り扱いのし易さ等を考慮して適宜変更してもよい。
【００６１】
加えて、シリンジ３０の外筒３１の筒先部３１ａの外周面に螺合溝を形成してガン本体部１０の液体供給口１１に、直接、シリンジ３０を取り付けるようにしてもよい。
ただし、本実施形態のような接続アダプタ５０を用いるようにすれば、簡単にシリンジ３０を取り外すことができるため、シリンジ３０への液体充填・洗浄作業が行い易いため、接続アダプタ５０を用いることが好ましい。
【００６２】
また、本実施形態のような接続アダプタ５０を用いることで、ゴム４３の収縮力を調節できるため、シリンジ３０内の液体がなくなるまで良好な液体の噴霧状態が維持しやすく、この点からしても接続アダプタ５０を用いることが好ましい。
本実施形態では、円筒状の保持部５２のガイド溝５２ｂに被係合部５２ｃを２ヵ所設けているが、２箇所に限定されるものではなく、３箇所やそれ以上であっても良い。
【００６３】
さらに、キャップ部４１のキャップ本体部４１ａは、本実施形態では、押子３２の後端を覆う形状としているが、押子３２の後端を覆う形状に限られるものではなく、押子３２を先端側に押圧できるような形状であればよい。
【００６４】
このように、本発明は、具体的な実施形態に限定されるものではなく、適宜、変形や改良を施したものも本発明の技術的範囲に含まれるものであり、そのことは、当業者にとって特許請求の範囲の記載から明らかである。
【符号の説明】
【００６５】
１        ハンドスプレーガン
１０      ガン本体部
１１      液体供給口
１２      気体供給口
１３      引金
１４      ニードル
１４ａ    開閉弁
１５      ノズル
１６      気体キャップ
１７      スリット開口
２０      液体供給部
３０      シリンジ
３１      外筒
３１ａ    筒先部
３１ｂ    フランジ部
３２      押子
４０      押出動力部
４１      キャップ部
４１ａ    キャップ本体部
４１ｂ    キャップフランジ
４１ｃ    キャップ側ゴム固定部
４１ｄ    目印
４２      係合部
４２ａ    係合部本体
４２ｂ    係合ピン
４２ｃ    係合部側ゴム固定部
４３      ゴム
５０      接続アダプタ
５１      取付部
５１ａ    取付本体部
５１ａａ  螺合接続部
５１ａｂ  装着部
５１ａｃ  液体供給路
５１ｂ    筒部材
５２      保持部
５２ａ    取付部固定部
５２ｂ    ガイド溝
５２ｃ    被係合部
【図１】
2017189759.tif 000003
【図２】
2017189759.tif 000004
【図３】
2017189759.tif 000005
【図４】
2017189759.tif 000006
【図５】
2017189759.tif 000007
【図６】
2017189759.tif 000008